(57)【要約】【課題】不意に蓋開動作を行った場合に蓋が開いてしまう場合があること。【解決手段】蓋体６と上枠４を固定し、かつ後退時に後記ロック切替え部材１２を押すことでロック切替え部材１２の係合を解く役割をはたすロック爪９と、ロック爪９を前方に付勢するロックばね１０と、前記ロック爪９に隣接し、ロック爪９を後方に押す力を伝達するロック補助部材１１と、前記ロック爪９近傍にあり前記ロック補助部材１１との圧接の有無により蓋体６の開閉操作のロックの切替えを行うロック切替え部材１２と、前記ロック切替え部材１２を上方に付勢するロック切替えばね１３とを設け、前記上枠４にはロック補助部材１１に隣接する位置にロック補助部材１１を後方に押す働きをする蓋開ボタン１４とを備える事で、蓋開閉時にロック爪９の摺動と連動して蓋開動作にロックがかかり、不意の蓋開動作の発生を防ぐ事ができる。【選択図】図１
2005204870.tif 000002
【特許請求の範囲】
【請求項１】
液体を収納する容器と、前記容器の上方開口部外周を保持する上枠と、前記上枠の下部に位置するボデーと、前記容器の上方開口部を覆う蓋体と、前記蓋体の後部にあり蓋体を上方に弧回動させるヒンジばねと、前記蓋体には前記上枠のフック部と係合する事で蓋体と上枠を固定し、かつ後退時に後記ロック切替え部材を押すことでロック切替え部材の切替え弾性部と中蓋に設けた下解除穴との係合を解く役割をはたすロック爪と、前記ロック爪を前方に付勢するロックばねと、前記ロック爪に隣接し、ロック爪を後方に押す力を伝達するロック補助部材と、前記ロック爪近傍にあり前記ロック補助部材との圧接の有無により蓋体の開閉操作のロックの切替えを行うロック切替え部材と、前記ロック切替え部材を上方に付勢するロック切替えばねとを設け、前記上枠にはロック補助部材に隣接する位置にロック補助部材を後方に押す働きをする蓋開ボタンとを備え、蓋開閉時のロック爪の摺動に連動しロック補助部材と切替え弾性部が中蓋の上ロック穴に係合するロック切替え部材とが圧接する事で蓋開動作にロックがかかる事を特徴とする電気湯沸かし器。
【請求項２】
ロック補助部材の奥下部とロック切替え部材の横上部に傾斜を設け、蓋開途中にロック切替え部材とロック補助部材が上下方向に押圧された状態でロック切替え部材がロック補助部材を前方に押す構成とした請求項１に記載の電気湯沸かし器。
【発明の詳細な説明】
【技術分野】
【０００１】
本発明は、容器内に収容した液体を加熱・保温し、本体外部へ導出する事を基本性能とし、さらに蓋をばねの力により開く構造の電気湯沸かし器に関するものである。
【背景技術】
【０００２】
従来この種の電気湯沸かし器は、図８、図９に示すようなものであった（例えば、特許文献１参照）。以下に従来の電気湯沸かし器の構造を詳述する。図８、図９において、本体１０１は、液体を収容する容器１０２を内包している。蓋体１０３は本体１０１のヒンジ部１０４に弧回動自在に取り付けられている。ロック部材１０５は蓋体１０３内に配され、第１のスプリング１０６により前方に付勢されており、蓋体１０３の閉位置において、前部に形成された爪部１０７は本体１０１に形成された爪受け部１０８に嵌合しており、この状態で蓋体１０３は本体１０１にロックされた状態になっている。ロック解除つまみ１０９は蓋体１０３内部に形成された支柱１１０の穴部１１１に嵌合する軸１１２を有し、その軸１１２を中心として弧回動自在に取り付けられた外部操作部材であり、その外部操作部１１３の下方に形成された突起１１４は、ロック部材１０５に形成された斜面部１１５に略当接している。第２のスプリング１１６は、蓋体１０３を開方向に付勢している。
【０００３】
ロック解除つまみ１０９の外部操作部１１３を押圧操作すると、その突起１１４がロック部材１０５の斜面部１１５に圧接するため、ロック部材１０５は第１のスプリング１０６の付勢に抗して後方に移動していく。さらに押圧操作を続けると、ついには、突起１１４はロック部材１０５の斜面部１１５を外れ、突起１１４の側面１１７と斜面部１１５の前方に形成された略垂直な端部１１８とが当接する状態となる。この状態は、ロック部材１０５の爪部１０７が本体１０１の爪受け部１０８から外れた時点もしくは、それからさらに所定の位置まで後退した時点において実現するような関係に設定してある。ここで、第２のスプリング１１６の蓋体１０３の開方向への付勢力を突起１１４の側面１１７とロック部材１０５の端部１１８との摩擦力よりも充分大きなものにしてやることにより、ロック解除つまみ１０９の前記状態からのさらに下方向への遊びの分だけ、蓋体１０３が開方向へ弧回動する。この状態においては、ロック部材１０５の爪部１０７は再び爪受け部１０８に嵌合することはないので、確実に蓋体１０３は開く。
【０００４】
また、蓋体１０３のロックが解除されたことが蓋体自身が若干持ち上がることにより一目で判断できるのである。また、前記状態において、ロック解除つまみ１０９の前部に形成した角部１１９を本体１０１の爪受け部１０８の上面１２０に当接させてやることにより、押圧操作力の大小にかかわらずこの状態が実現できる。この状態から押圧操作をやめて手を離すと、第２のスプリング１１６の付勢力により蓋体１０２は所定の位置まで弧回動するものである。
【０００５】
また、ストッパー１２１は蓋体１０３に摺動自在に取り付けられ摺動位置によりその腕部１２２ａ、１２２ｂをロック解除つまみ１０９の下方に位置させるようになっている。腕部１２２ａ、１２２ｂがロック解除つまみ１０９の下方に位置しないときは、上記に述べた蓋体１０３のロック解除及び弧回動が可能であるが、ロック解除つまみ１０９の下方に位置したときには、ロック解除つまみ１０９の弧回動を制止するため、押圧操作力がロック部材１０５に伝達されない。従って、あやまって押圧操作を行っても蓋体１０３が開くことはない。また、蓋体１０３を開いた状態でストッパー１２１を働かせても、ロック部材１０５の動作は規制されないので、蓋体１０３を本体１０１に閉方向に押しつけることによりロック部材１０５の爪部１０７が、爪受け部１０８に嵌合し、ロックができる。
【特許文献１】特開平３−１４０１２６号公報
【発明の開示】
【発明が解決しようとする課題】
【０００６】
しかしながら、前記従来の構成では蓋開動作のロックは手動で行わなければならず、蓋体を閉めた後にロック動作を行わない場合に、不意に蓋開動作を行った場合に蓋が開いてしまうという問題があった。
【０００７】
また、本発明の電気湯沸かし器は蓋体を閉めたときにロックをかけずとも自動で蓋開動作にロックがかかる構成とし、不意の蓋開動作の発生を防ぎ、更に安全性の高い電気湯沸かし器を提供することを目的とする。
【課題を解決するための手段】
【０００８】
前記従来の課題を解決するために、本発明の電気湯沸かし器は液体を収納する容器と、前記容器の上方開口部外周を保持する上枠と、前記上枠の下部に位置するボデーと、前記容器の上方開口部を覆う蓋体と、前記蓋体の後部にあり蓋体を上方に弧回動させるヒンジばねと、前記蓋体には前記上枠のフック部と係合する事で前記蓋体と前記上枠を固定し、かつ後退時に後記ロック切替え部材を押すことでロック切替え部材の切替え弾性部と中蓋に設けた下解除穴との係合を解く役割をはたすロック爪と、前記ロック爪を前方に付勢するロックばねと、前記ロック爪に隣接し、ロック爪を後方に押す力を伝達するロック補助部材と、前記ロック爪近傍にあり前記ロック補助部材との圧接の有無により蓋体の開閉操作のロックの切替えを行うロック切替え部材と、前記ロック切替え部材を上方に付勢するロック切替えばねとを設け、前記上枠にはロック補助部材に隣接する位置にロック補助部材を後方に押す働きをする蓋開ボタンとを備え、蓋開閉時のロック爪の摺動に連動しロック補助部材と切替え弾性部が中蓋の上ロック穴に係合するロック切替え部材とが圧接する事で蓋開動作にロックがかかり、不意の蓋開動作の発生を防ぎ、さらに高い安全性を保つ事ができる。
【発明の効果】
【０００９】
本発明の電気湯沸かし器は蓋開閉直後に自動で蓋開動作にロックがかかる事で、そのロックを解除しないと蓋が開かないため、不意の蓋開動作の発生を防ぎ、より高い安全性を保つ事ができる。
【発明を実施するための最良の形態】
【００１０】
第１の発明は、液体を収納する容器と、前記容器の上方開口部外周を保持する上枠と、前記上枠の下部に位置するボデーと、前記容器の上方開口部を覆う蓋体と、前記蓋体の後部にあり蓋体を上方に弧回動させるヒンジばねと、前記蓋体には前記上枠のフック部と係合する事で前記蓋体と前記上枠を固定し、かつ後退時に後記ロック切替え部材を押すことでロック切替え部材の係合を解く役割をはたすロック爪と、ロック爪を前方に付勢するロックばねと、前記ロック爪に隣接し、ロック爪を後方に押す力を伝達するロック補助部材と、前記ロック爪近傍にあり前記ロック補助部材との圧接の有無により蓋体の開閉操作のロックの切替えを行うロック切替え部材と、前記ロック切替え部材を上方に付勢するロック切替えばねとを設け、前記上枠にはロック補助部材に隣接する位置にロック補助部材を後方に押す働きをする蓋開ボタンとを備えた構成とすることにより、蓋閉時にはロック爪が上枠に押されて後退し、ロック切替え部材の切替え弾性部を押すことで切替え弾性部と下解除穴の係合が外れロック切替え部材が上方のロック位置に移動する。それにより蓋開操作時にロック切替え部材がロック補助部材の後退を妨げ、蓋開操作にロックがかかる。蓋開時には蓋開ボタンがロック補助部材を押し、ロック補助部材とロック爪がともに後退する。その時ロック爪がロック切替え部材の切替え弾性部を押圧しロック切替え部材が上方に移動しようとするが、ロック補助部材がストッパーとなり蓋開動作にロックがかからず動作するため、蓋開動作と蓋開自動ロック動作に蓋体開動作が邪魔される事なく行うことができる。以上のように蓋閉時に蓋開操作にロックが自動的にかかる事で、そのロックを解除しないと蓋が開かず、不意の蓋開動作の発生を防ぐことで、さらに高い安全性を保つ事ができる。
【００１１】
第２の発明は、特に第１の発明のロック補助部材の奥下部とロック切替え部材の横上部に傾斜形状を設け、蓋開途中のロック切替え部材とロック補助部材が上下方向に押圧された状態でロック切替え部材がロック補助部材を前方に押す構成とする事で、蓋開直後の非ロック時にロック切替え部材とロック補助部材が非ロック状態のまま停止することを防止する事ができる。
【００１２】
（実施の形態１）
図１は本発明の第１の実施の形態における電気湯沸かし器の断面図を示すものである。
【００１３】
図１において、外郭を構成するボデー１は液体２を収容する容器３を内包している。ボデー上部には上枠４が載置され、中央開口部に容器３を載置している。蓋体６は容器３の上面開口部を覆っている。蓋体６には全周にパッキン６ｂを装着した飾り枠６ａと、外郭を構成する外蓋６ｃと、飾り枠６ａと外蓋６ｃを係合し上枠４に回動自在に係合するためのピン６ｅと、ピン６ｅを中心に蓋体を上方に回動させる力を加えるヒンジばね６ｆを設けた中蓋７と、ロック機構部８とで構成される。
【００１４】
ロック機構部８はロック爪９とロックばね１０とロック補助部材１１とロック切替え部材１２とロック切替えばね１３とで構成される。ロック爪９は蓋体６と上枠４のフック部４ａとの間で係合しヒンジばね６ｆの力に反して両者を固定しており、ロック爪９が後退することで係合が外れ、蓋体６がヒンジばね６ｆの力で上方に回動する。ロックばね１０はロック爪９に付勢し、ロック爪９を前方に押圧することでロック爪９とフック部４ａの係合を維持する力を与えている。ロック補助部材１１は蓋開時には蓋開ボタン１４とロック爪９の間に位置し、蓋開ボタン１４からロック爪９に力を伝達する役割を果たし（図５参照）、蓋開動作ロック時にはロック切替え部材１２と接触する（図４参照）ことで蓋開ボタン１４とロック爪９の摺動を停止させる役割を果たす。ロック切替え部材１２は切替え弾性部１２ａを有し、切替え弾性部１２ａが中蓋７の上ロック穴７ａまたは下解除穴７ｂに係合することで位置決めされる。切替え弾性部１２ａが上ロック穴７ａに位置するとき、ロック切替え部材１２はロック補助部材１１の後退を妨げることで蓋開動作にロックを掛ける。切替え弾性部１２ａが下解除穴７ｂにあるとき、ロック補助部材１１は前後に摺動し、ロック爪９を後退させることで蓋開動作を実現する。
【００１５】
以上のように構成された電気湯沸かし器について、以下その動作、作用を説明する。
【００１６】
まず、図２は電気湯沸かし器本体とロック機構部８の概略を示すもので、図３、図６は図２のＡ−Ａ線における断面図で、図４、図５は図２のＢ−Ｂ線における断面図である。図３、図４の（ａ）から（ｃ）は蓋閉動作を示している。ロック解除の状態からの蓋閉時、ロック爪９はフック部４ａに後方に押される（図３（ｂ））。ロック爪９は後方に摺動することによりロック切替え部材１２の切替え弾性部１２ａを押圧し、切替え弾性部１２ａが下解除穴７ｂとの係合が外れる事で、ロック切替えばね１３に上方に押されて上方に移動し、上ロック穴７ａと切替え弾性部１２ａが係合することでロックばね１２は静止する（図３（ｃ））。その時、図２のＢ−Ｂ線における断面では図４（ｃ）のようにロック切替え部材１２がロック補助部材１１の後退を妨げる位置にあり、その結果蓋開時に蓋開ボタン１４を押してもロック爪９に力が伝わらず、蓋開動作にロックがかかる。
【００１７】
また、蓋開時にすでにロック切替え部材１２の切替え弾性部１２ａが上ロック穴７ａにある時は蓋閉時にロック爪９がロック切替え部材１２に作用する事なく、そのまま切替え弾性部１２ａが上ロック穴７ａに係合したままとなり、蓋開動作にロックがかかった状態となる。
【００１８】
図５、図６の（ａ）から（ｄ）は蓋開動作を示している。図５（ａ）、図６（ａ）のように切替え弾性部１２ａが上ロック穴７ａに係合した状態からロック切替え部材１２を下方に押すと、切替え弾性部１２ａが図６（ａ）のように傾斜しているため中蓋７に後方に押され、上ロック穴７ａとの係合が外れ、下解除穴７ｂと係合するところで静止し、蓋開動作がロック解除状態となる。次に、図５（ｂ）、図６（ｂ）のように蓋開ボタン１４を押すと、図５（ｂ）に示すとおり蓋開ボタン１４にロック補助部材１１が押され後退する。図６（ｂ）のようにロック補助部材１１が後退するとロック爪９も後退する。ロック爪９が後退すると切替え弾性部１２ａが後方に押され、下解除穴７ｂとの係合が外れ、ロック切替えばね１３の力によりロック切替え部材１２が上方に移動する。しかし、図５（ｃ）に示すとおりロック切替え部材１２はロック補助部材１１の下方に接触するところで静止するためロック補助部材１１の後退動作にはロックがかからず、蓋開動作は継続される。同時に、ロック爪９が後退する事でフック部４ａとの係合が外れ、蓋体６が開く。蓋開後、図６（ｄ）に示すようにロックばね１０がロック爪９を前方に押す事でロック補助部材１１も前方に移動し、ロック切替え部材１２が上方へ移動可能となり、ロック切替え部材１２はロック切替えばね１２ａが上ロック穴７ａと係合するところまで移動し、蓋開動作にロックがかかった状態となる。
【００１９】
以上のように、本実施の形態においては液体２を収納する容器３と、前記容器３の上方開口部外周を保持する上枠４と、前記上枠４の下部に位置するボデー１と、前記容器３の上方開口部を覆う蓋体６と、前記蓋体６の後部にあり蓋体６を上方に弧回動させるヒンジばね６ｆと、前記蓋体６には前記上枠４のフック部４ａと係合する事で前記蓋体６と前記上枠４を固定し、かつ後退時に後記ロック切替え部材１２を押すことでロック切替え部材１２の係合を解く役割をはたすロック爪９と、ロック爪９を前方に付勢するロックばね１０と、前記ロック爪９に隣接し、ロック爪９を後方に押す力を伝達するロック補助部材１１と、前記ロック爪９近傍にあり前記ロック補助部材１１との圧接の有無により蓋体６の開閉操作のロックの切替えを行うロック切替え部材１２と、前記ロック切替え部材１２を上方に付勢するロック切替えばね１３とを設け、前記上枠４にはロック補助部材１１に隣接する位置にロック補助部材１１を後方に押す働きをする蓋開ボタン１４とを備えた構成とすることにより、蓋の開閉動作直後に同時にロック補助部材とロック切替え部材とが係合し蓋開動作にロックがかかることにより、不意の蓋開動作の発生を防ぎ、さらに高い安全性を保つ事ができる。
【００２０】
なお、本実施の形態ではロック切替え部材１２の摺動方向は鉛直方向であるが、ロック切替えばね１３の付勢方向を左右方向とし、ロック切替え部材１２の摺動方向を左右方向に、及び上ロック穴７ａと下解除穴７ｂを左右に並べても同様の効果を得ることができる。
【００２１】
なお、ヒンジばね６ｆはばねであるが、樹脂などの弾性体であってもよい。
【００２２】
（実施の形態２）
図７は本発明の第２の実施の形態の電気湯沸かし器の断面図である。図７に示すようにロック補助部材１１の奥下部１１ａとロック切替え部材１２の横上部１２ｂに傾斜を設け、蓋開途中にロック切替え部材１２とロック補助部材１１が上下方向に押圧された状態でロック切替え部材１２がロック補助部材１１を前方に押す構成とすることで、両者圧接時にロック補助部材１１がロック切替え部材１２との摩擦力により前方に戻らずに、ロック爪９とフック部４ａが係合しないという状況を防ぐことができる。
【産業上の利用可能性】
【００２３】
以上のように、本発明の電気湯沸かし器は、不意の蓋開動作の発生を防ぐことができるので、蓋をばねの力により開く加熱調理器等の用途に適用できる。
【図面の簡単な説明】
【００２４】
【図１】本発明の実施の形態１における電気湯沸かし器の概略断面図
【図２】（ａ）本発明の実施の形態１における電気湯沸かし器の本体概観を示す斜視図（ｂ）同ロック機構部を示す斜視図
【図３】（ａ）本発明の実施の形態１における電気湯沸かし器の図２のＡ−Ａ線における蓋開時の断面図（ｂ）同蓋閉途中の断面図（ｃ）同蓋閉直後の断面図（ｄ）同ロック切替え部材の要部断面図
【図４】（ａ）本発明の実施の形態１における電気湯沸かし器の図２のＢ−Ｂ線における蓋開時の断面図（ｂ）同蓋閉途中の断面図（ｃ）同蓋閉直後の断面図
【図５】（ａ）本発明の実施の形態１における電気湯沸かし器の図２のＢ−Ｂ線におけるロック解除動作途中の断面図（ｂ）同蓋開動作途中の断面図（ｃ）同蓋開動作途中の断面図（ｄ）同蓋開動作直後の断面図
【図６】（ａ）本発明の実施の形態１における電気湯沸かし器の図２のＡ−Ａ線におけるロック解除動作途中の断面図（ｂ）同蓋開動作途中の断面図（ｃ）同蓋開動作途中の断面図（ｄ）同蓋開動作直後の断面図
【図７】（ａ）本発明の実施の形態２における電気湯沸かし器の図２のＢ−Ｂ線における蓋開動作途中の断面図（ｂ）同蓋開動作途中の断面図
【図８】従来の電気湯沸かし器の概略図
【図９】従来の電気湯沸かし器の概略図
【符号の説明】
【００２５】
１  ボデー
２  液体
３  容器
４  上枠
４ａ  フック部
６  蓋体
６ｆ  ヒンジばね
７  中蓋
７ａ  上ロック穴
７ｂ  下解除穴
９  ロック爪
１０  ロックばね
１１  ロック補助部材
１１ａ  奥下部
１２  ロック切替え部材
１２ａ  切替え弾性部
１２ｂ  横上部
１３  ロック切替えばね
１４  蓋開ボタン
【図１】
2005204870.tif 000003
【図２】
2005204870.tif 000004
【図３】
2005204870.tif 000005
【図４】
2005204870.tif 000006
【図５】
2005204870.tif 000007
【図６】
2005204870.tif 000008
【図７】
2005204870.tif 000009
【図８】
2005204870.tif 000010
【図９】
2005204870.tif 000011